(57)【要約】      （修正有）【課題】給電装置が電子機器に無線給電中に、別の電子機器が近づいた場合に、無線給電を停止した後、速やかに電子機器への無線給電を再開することを目的とする。【解決手段】給電装置１００は、電子機器に所定の電力を無線で供給する給電手段と、前記電子機器と通信を行う通信手段と、前記所定の電力を前記電子機器に供給する前に、前記電子機器と認証を行うように通信手段を制御する制御手段と、異物検出手段と、を有する。第１の電子機器を無線給電中に、異物検出手段に異物を検出すると、第１の電子機器への無線給電を停止し、通信手段により第２の電子機器を検出すると、第２の電子機器が、第１の電子機器と異なる電子機器である場合、通信手段により第２の電子機器にメッセージ情報を送信する。【選択図】図２
2018133858.tif 000002
【特許請求の範囲】
【請求項１】
給電装置であって、
電子機器に所定の電力を無線で供給する給電手段と、
前記電子機器と通信を行う通信手段と、
前記所定の電力を前記電子機器に供給する前に、前記電子機器と認証を行うように前記通信手段を制御する制御手段と、
異物検出手段と、
を有し、
第１の電子機器を無線給電中に前記異物検出手段に異物検出後、
前記第１の電子機器への無線給電を停止し、
前記通信手段により第２の電子機器を検出すると、
第２の電子機器が第１の電子機器と異なる電子機器である場合、
前記通信手段により第２の電子機器にメッセージ情報を送信することを特徴とする給電装置。
【請求項２】
前記通信手段はＮＦＣであることを特徴とする請求項１に記載の給電装置。
【請求項３】
前記第１の電子機器と前記第２の電子機器が異なるＴｙｐeのＮＦＣ通信である場合に、前記第１の電子機器と前記第２の電子機器が異なると判定することを特徴とする請求項１または２に記載の給電装置。
【請求項４】
電
前記第１の電子機器と前記第２の電子機器が異なるＮＦＣ通信方式である場合に、前記第１の電子機器と前記第２の電子機器が異なると判定することを特徴とする請求項１または２に記載の給電装置。
【請求項５】
前記第２の電子機器が無線給電用のＮＤＥＦ情報を持たない場合に、前記第１の電子機器と前記第２の電子機器が異なると判定することを特徴とする請求項１または２に記載の給電装置。
【請求項６】
前記第１の電子機器と前記第２の電子機器が異なるＮＤＥＦのＩＤ情報を持つ場合に、前記第１の電子機器と前記第２の電子機器が異なると判定することを特徴とする請求項１または２に記載の給電装置。
【請求項７】
前記メッセージ情報は、第１の電子機器が無線給電中であることを示す情報であることを特徴とする請求項１に記載の給電装置。
【請求項８】
前記メッセージ情報は、第２の電子機器が給電装置から離れることを促す情報であることを特徴とする請求項１に記載の給電装置。
【請求項９】
前記メッセージ情報は、第１の電子機器のバッテリ充電状態の情報、充電完了予定時間を含むことを特徴とする請求項１に記載の給電装置。
【発明の詳細な説明】
【技術分野】
【０００１】
本発明は、無線給電を行う給電装置等に関する。
【背景技術】
【０００２】
近年、コネクタで接続することなく無線により電力を供給する給電装置と、給電装置から無線により供給される電力を受け取る電子機器とを含む給電システムが知られている。このような給電システムにおいて、給電装置から供給される電力を用いて、電池の充電を行う電子機器が知られている（特許文献１）。
【先行技術文献】
【特許文献】
【０００３】
【特許文献１】特開２０１０−３９２８３号公報
【発明の概要】
【発明が解決しようとする課題】
【０００４】
このような給電システムにおいて、給電装置が電子機器に無線給電中に、別の電子機器が近づいた場合、給電を止めることが考えられているが、近づいた電子機器に対して、離れるようにメッセージを送ることについて考えられていないかった。そのため、給電装置は、電子機器に対する無線給電を速やかに再開することができなかった。
【０００５】
そこで、本発明は、給電装置が電子機器に無線給電中に、別の電子機器が近づいた場合に、無線給電を停止した後、速やかに電子機器への無線給電を再開するようにすることを目的とする。
【課題を解決するための手段】
【０００６】
本発明に係る給電装置は、
給電装置であって、
電子機器に所定の電力を無線で供給する給電手段と、
前記電子機器と通信を行う通信手段と、
前記所定の電力を前記電子機器に供給する前に、前記電子機器と認証を行うように前記通信手段を制御する制御手段と、
異物検出手段と、
を有し、
第１の電子機器を無線給電中に前記異物検出手段に異物検出後、
前記第１の電子機器への無線給電を停止し、
前記通信手段により第２の電子機器を検出すると、
第２の電子機器が第１の電子機器と異なる電子機器である場合、
前記通信手段により第２の電子機器にメッセージ情報を送信することを特徴とする。
【発明の効果】
【０００７】
本発明によれば、給電装置が電子機器に無線給電中に、別の電子機器が近づいて無線給電を停止した後、速やかに電子機器への無線給電を再開するようにすることが可能となる。
【図面の簡単な説明】
【０００８】
【図１】本発明の実施例１に係る無線給電システムの一例を示す図である。
【図２】本発明の実施例１に係る給電装置の一例を示すブロック図である。
【図３】本発明の実施例１に係る電子機器の一例を示すブロック図である。
【図４】本発明の実施例１に係る電子機器が対応可能なタグの種類を示す図である。
【図５】本発明の実施例１に係る給電装置の状態遷移図の一例である。
【図６】本発明の実施例１に係る給電装置によって行われる制御処理の一例を示すフローチャート図である。
【図７】本発明の実施例１に係る給電装置によって行われる電子機器の判別処理の一例を示すフローチャート図である。
【発明を実施するための形態】
【０００９】
［実施例１］
以下、本発明の実施例１について、図面を参照して説明する。図１に示すように、実施例１に係る給電システムは、給電装置１００と電子機器２００とを有する。実施例１における給電システムにおいて、給電装置１００における所定の範囲３００内に電子機器２００が存在する場合、給電装置１００は、電子機器２００に無線により給電を行う。また、電子機器２００が所定の範囲３００内に存在する場合、電子機器２００は、給電装置１００から出力される電力を無線により受け取ることができる。また、電子機器２００が所定の範囲３００内に存在しない場合、電子機器２００は、給電装置１００から電力を受け取ることができない。
【００１０】
なお、所定の範囲３００とは、給電装置１００が電子機器２００と通信を行うことができる範囲であるものとする。所定の範囲３００を給電装置１００の筺体上の範囲としたが、これに限られないものとする。なお、給電装置１００は、複数の電子機器に対して無線により給電を行うものであってもよいものとする。
【００１１】
電子機器２００は、撮像装置や再生装置であってもよく、携帯電話やスマートフォンのような通信装置であってもよいものとする。また、電子機器２００は、電池を含む電池パックであってもよい。また、電子機器２００は、自動車やディスプレイであってもよく、パーソナルコンピュータであってもよい。
【００１２】
次に、図２を参照して、実施例１に係る給電装置１００の構成の一例について説明を行う。給電装置１００は、図２に示すように、制御部１０１、給電部１０２、メモリ１０８、表示部１０９、操作部１１０、電流検出部１１１、温度検出部１１２及び第２の通信部１１３を有する。給電部１０２には、電力生成部１０３、検出部１０４、整合回路１０５、第１の通信部１０６及び給電アンテナ１０７が含まれる。
【００１３】
制御部１０１は、メモリ１０８に記録されているコンピュータプログラムを実行することによって、給電装置１００を制御する。制御部１０１は、例えば、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。なお、制御部１０１は、ハードウェアにより構成されるものとする。また、制御部１０１は、タイマー１０１ａを有する。
【００１４】
給電部１０２は、所定の給電方法に基づいて、無線給電を行うために用いられる。所定の給電方法は、例えば、磁界共鳴方式を用いた給電方法である。磁界共鳴方式とは、給電装置１００と電子機器２００との間で共振が行われる状態において、給電装置１００から電子機器２００に電力を伝送するものである。給電装置１００と電子機器２００との間で共振が行われる状態とは、給電装置１００の給電アンテナ１０７の共振周波数と、電子機器２００の受電アンテナ２０３の共振周波数とが一致している状態である。所定の給電方法は、磁界共鳴方式以外の方式を用いた給電方法であってもよい。
【００１５】
電力生成部１０３は、不図示のＡＣ電源と給電装置１００とが接続されている場合、不図示のＡＣ電源から供給される電力を用いて、給電アンテナ１０７を介して外部に出力するための電力を生成する。電力生成部１０３によって生成される電力には、通信電力と、所定の電力とがある。通信電力は、第１の通信部１０６が電子機器２００と通信を行うために用いられる。通信電力は、例えば、１Ｗ以下の微弱な電力であるものとする。なお、通信電力は、第１の通信部１０６の通信規格に規定されている電力であってもよい。
【００１６】
所定の電力は、電子機器２００が充電や特定の動作を行うために用いられる。所定の電力は、例えば、２Ｗ以上の電力であるものとする。また、所定の電力は、通信電力よりも大きい電力であれば、２Ｗ以上の電力に限られないものとする。所定の電力の値は、電子機器２００から取得したデータに基づいて、制御部１０１によって設定される。電力生成部１０３によって生成される電力は、検出部１０４及び整合回路１０５を介して給電アンテナ１０７に供給される。
【００１７】
検出部１０４は、給電装置１００と電子機器２００との共振の状態を検出するために、電圧定在波比ＶＳＷＲ（Ｖｏｌｔａｇｅ  Ｓｔａｎｄｉｎｇ  Ｗａｖｅ  Ｒａｔｉｏ）を検出する。さらに、検出部１０４は、検出したＶＳＷＲを示すデータを制御部１０１に供給する。ＶＳＷＲは、給電アンテナ１０７から出力される電力の進行波と、給電アンテナ１０７から出力される電力の反射波との関係を示す値である。制御部１０１は、検出部１０４から供給されたＶＳＷＲのデータを用いて、給電装置１００と電子機器２００との共振の状態の変化や異物の存在を検出することができる。
【００１８】
異物とは、例えば、金属やＩＣカード等である。なお、異物は、電池を充電するための充電手段を有していない機器や、給電装置１００と通信を行うための通信手段を有していない機器であってもよい。また、異物は、第１の通信部１０６の通信規格に対応していない機器であってもよい。整合回路１０５は、給電アンテナ１０７の共振周波数を設定する回路と、電力生成部１０３と給電アンテナ１０７との間のインピーダンスマッチングを行うための回路とを含む。
【００１９】
給電装置１００が給電アンテナ１０７を介して通信電力及び所定の電力のいずれか一つを出力する場合、制御部１０１は、給電アンテナ１０７の共振周波数を所定の周波数ｆに設定するように整合回路１０５を制御する。所定の周波数ｆは、例えば、１３．５６ＭＨｚである。また、所定の周波数ｆは、６．７８ＭＨｚであってもよく、第１の通信部１０６の通信規格に規定されている周波数であってもよい。
【００２０】
第１の通信部１０６は、例えば、ＮＦＣ（Ｎｅａｒ  Ｆｉｅｌｄ  Ｃｏｍｍｕｎｉｃａｔｉｏｎ）フォーラムによって規定されているＮＦＣ規格に基づいて、無線通信を行う。また、第１の通信部１０６の通信規格は、ＩＳＯ／ＩＥＣ  １８０９２規格であってもよく、ＩＳＯ／ＩＥＣ  １４４４３規格であってもよく、ＩＳＯ／ＩＥＣ  ２１４８１規格であってもよい。第１の通信部１０６は、通信電力が給電アンテナ１０７から出力されている場合、給電アンテナ１０７を介して電子機器２００と無線給電を行うためのデータの送受信を行うことができる。
【００２１】
しかし、所定の電力が給電アンテナ１０７から出力されている期間において、第１の通信部１０６は、給電アンテナ１０７を介して電子機器２００と通信を行わないものとする。所定の電力が給電アンテナ１０７から出力されている期間を以下「所定の時間」と呼ぶ。所定の時間は、電子機器２００から取得したデータに基づいて、制御部１０１によって設定される。第１の通信部１０６と電子機器２００との間で送受信するデータは、ＮＤＥＦ（ＮＦＣ  Ｄａｔａ  Ｅｘｃｈａｎｇｅ  Ｆｏｒｍａｔ）に対応するデータである。
【００２２】
第１の通信部１０６は、電子機器２００にＮＤＥＦに対応するデータを送信する場合、電力生成部１０３から供給される通信電力にデータを重畳する処理を行う。データが重畳された通信電力は、給電アンテナ１０７を介して電子機器２００に送信される。第１の通信部１０６が、電子機器２００からＮＤＥＦに対応するデータを受信する場合、給電アンテナ１０７に流れる電流を検出し、この電流の検出結果に応じて、電子機器２００からデータを受信する。
【００２３】
これは、電子機器２００が給電装置１００にＮＤＥＦに対応するデータを送信する場合に、電子機器２００の内部の負荷を変動させることによって、データの送信を行うからである。電子機器２００の内部の負荷が変化した場合、給電アンテナ１０７に流れる電流を変化するので、第１の通信部１０６は、給電アンテナ１０７に流れる電流を検出することで、電子機器２００からＮＤＥＦに対応するデータを受信することができる。なお、第１の通信部１０６は、ＮＦＣ規格に規定されているリーダライタとして動作するものとする。
【００２４】
給電アンテナ１０７は、通信電力及び所定の電力のいずれか一つを電子機器２００に出力するためのアンテナである。また、給電アンテナ１０７は、第１の通信部１０６がＮＦＣ規格を用いた無線通信を電子機器２００と行うために用いられる。メモリ１０８は、給電装置１００を制御するためのコンピュータプログラムを記録する。さらに、メモリ１０８は、給電装置１００の識別データ、給電装置１００に関する給電パラメータや給電を制御するためのフラグ等を記録する。また、メモリ１０８は、電子機器２００から第１の通信部１０６及び第２の通信部１１３の少なくとも一つが取得したデータを記録する。
【００２５】
表示部１０９は、メモリ１０８及び第２の通信部１１３から供給される映像データを表示する。操作部１１０は、給電装置１００を操作するためのユーザインターフェースを提供する。操作部１１０は、給電装置１００を操作するためのボタン、スイッチやタッチパネル等を有する。制御部１０１は、操作部１１０を介して入力された入力信号に従って給電装置１００を制御する。電流検出部１１１は、給電アンテナ１０７に流れる電流を検出し、検出した電流を示すデータを制御部１０１に供給する。制御部１０１は、電流検出部１１１から供給された電流のデータを用いて、異物の存在を検出することができる。
【００２６】
温度検出部１１２は、給電装置１００の温度を検出し、検出した温度を示すデータを制御部１０１に供給する。制御部１０１は、温度検出部１１２から供給された温度のデータを用いて、異物の存在を検出することができる。なお、温度検出部１１２によって検出される給電装置１００の温度は、給電装置１００内部の温度であってもよく、給電装置１００の表面の温度であってもよい。
【００２７】
第２の通信部１１３は、第１の通信部１０６の通信規格と異なる通信規格に基づいて、電子機器２００と無線通信を行う。第２の通信部１１３の通信規格は、例えば、無線ＬＡＮ（Ｗｉｒｅｌｅｓｓ  Ｌｏｃａｌ  Ａｒｅａ  Ｎｅｔｗｏｒｋ）規格やＢｌｕｅ  Ｔｏｏｔｈ（登録商標）規格である。第２の通信部１１３は、給電装置１００と電子機器２００との間で映像データ、音声データ及びコマンドの少なくとも一つを含むデータを送信したり受信することができる。給電装置１００は、無線により電力を電子機器２００に供給するようにした。しかし、「無線」を「非接触」や「無接点」と言い換えてもよいものとする。
【００２８】
次に、図３を参照して、電子機器２００の構成の一例について説明を行う。電子機器２００は、制御部２０１、受電部２０２、電力検出部２０７、レギュレータ２０８、負荷部２０９、充電部２１０、電池２１１、温度検出部２１２、メモリ２１３、操作部２１４及び第２の通信部２１５を有する。受電部２０２には、受電アンテナ２０３、整合回路２０４、整流平滑回路２０５、及び第１の通信部２０６が含まれる。
【００２９】
制御部２０１は、メモリ２１３に記録されているコンピュータプログラムを実行することによって、電子機器２００を制御する。制御部２０１は、例えば、ＣＰＵやＭＰＵを含む。なお、制御部２０１は、ハードウェアにより構成されるものとする。受電部２０２は、所定の給電方法に対応し、給電装置１００から電力を無線により受け取るために用いられる。
【００３０】
受電アンテナ２０３は、給電装置１００から供給される電力を受け取るためのアンテナである。また、受電アンテナ２０３は、第１の通信部２０６がＮＦＣ規格を用いた無線通信を給電装置１００と行うために用いられる。受電アンテナ２０３を介して給電装置１００から電子機器２００が受け取った電力は、整合回路２０４を介して整流平滑回路２０５に供給される。整合回路２０４は、受電アンテナ２０３の共振周波数を設定する回路を含む。制御部２０１は、整合回路２０４を制御することによって受電アンテナ２０３の共振周波数を設定することができる。
【００３１】
整流平滑回路２０５は、受電アンテナ２０３によって受電された電力から直流電力を生成する。さらに、整流平滑回路２０５は、生成した直流電力を電力検出部２０７を介してレギュレータ２０８に供給する。受電アンテナ２０３によって受電された電力にデータが重畳されている場合、受電アンテナ２０３によって受電された電力から取り除かれたデータを第１の通信部２０６に供給する。
【００３２】
第１の通信部２０６は、第１の通信部１０６と同一の通信規格に基づいて、給電装置１００と通信を行う。第１の通信部２０６は、メモリ２０６aを有する。メモリ２０６aには、ＷＰＴ（Ｗｉｒｅｌｅｓｓ  Ｐｏｗｅｒ  Ｔｒａｎｓｆｅｒ）用ＲＴＤ（Ｒｅｃｏｒｄ  Ｔｙｐｅ  Ｄｅｆｉｎｉｔｏｎ）データ４００が記録されている。ＷＰＴ用ＲＴＤデータ４００には、ＮＤＥＦに対応するデータが複数格納されている。ＷＰＴ用ＲＴＤデータ４００には、給電装置１００と電子機器２００との間で無線給電を行うために必要なデータが格納される。
【００３３】
ＷＰＴ用ＲＴＤデータ４００には、少なくとも無線給電の認証を給電装置１００と行うために用いられる認証データが格納されている。認証データには、レコードタイプ名、電子機器２００が対応している給電方法や給電の制御プロトコルを示すデータや電子機器２００の識別データ、電子機器２００の受電能力データ、電子機器２００が持っているタグの種類を示すデータ等が含まれる。レコードタイプ名とは、ＷＰＴ用ＲＴＤデータ４００に格納されているデータの内容や構造を識別するためのレコードタイプ（ｒｅｃｏｒｄ  ｔｙｐｅ）を示すデータである。レコードタイプ名（ｒｅｃｏｒｄ  ｔｙｐｅ  ｎａｍｅ）は、ＷＰＴ用ＲＴＤデータ４００を識別するためのデータである。受電能力データは、電子機器２００の受電能力を示すデータであり、例えば、電子機器２００の受電可能な電力の最大値を示す。
【００３４】
ＷＰＴ用ＲＴＤデータ４００には、さらに受電ステータスデータや給電ステータスデータが格納されていてもよい。受電ステータスデータには、電子機器２００の状態を示すデータが含まれる。例えば、受電ステータスデータには、給電装置１００に要求する要求電力の値、電子機器２００が給電装置１００から受け取った電力の値、電池２１１の残容量や電池２１１の充電に関するデータ、電子機器２００のエラーに関するエラーデータ等が含まれる。エラーデータには、電子機器２００にエラーが発生しているか否かを示すデータと、エラーの種類を示すデータとが含まれる。給電ステータスデータには、給電装置１００の状態を示すデータが含まれる。例えば、給電ステータスデータには、給電装置１００の識別データ、給電装置１００が電子機器２００への所定の電力の伝送を開始するか否かを示すデータ、給電装置１００で設定された給電パラメータ等が含まれる。
【００３５】
第１の通信部２０６は、整流平滑回路２０５から供給されたデータを解析する。その後、第１の通信部２０６は、データの解析結果を用いて、ＷＰＴ用ＲＴＤデータ４００から読み出したデータを給電装置１００に送信したり、給電装置１００から受信したデータをＷＰＴ用ＲＴＤデータ４００に書き込んだりする。さらに、第１の通信部２０６は、整流平滑回路２０５から供給されたデータに対応する応答データを給電装置１００に送信する。第１の通信部２０６は、ＷＰＴ用ＲＴＤデータ４００から読み出したデータや応答データを給電装置１００に送信するために、第１の通信部２０６内部の負荷を変動させる処理を行う。
【００３６】
電子機器２００は、ＮＦＣ規格に規定されているタグに対応するものとする。電子機器２００の対応可能なタグの種類として、第１のタグと、第２のタグとがある。以下、第１のタグ及び第２のタグにについて、図４を用いて説明を行う。図４は、図４（ａ）に第１のタグを示し、図４（ｂ）に第２のタグを示す。
【００３７】
図４（ａ）を参照し、第１のタグについて説明を行う。図４の（ａ）のＷＰＴ用ＲＴＤデータ４００には、電子機器２００が第１のタグを持っていることを示すデータを含む識別データが格納されている。電子機器２００が第１のタグを持っている場合、制御部２０１は、不図示の内部バスインターフェースを介してＷＰＴ用ＲＴＤデータ４００に格納されているデータを読み出すことができる。さらに、電子機器２００が第１のタグを持っている場合、制御部２０１は、不図示の内部バスインターフェースを介してＷＰＴ用ＲＴＤデータ４００にデータを書き込むことができる。
【００３８】
電子機器２００が第１のタグを持っている場合、例えば、制御部２０１は、ＷＰＴ用ＲＴＤデータ４００から読み出された給電ステータスデータを用いて、電子機器２００の各部を制御することができる。電子機器２００が第１のタグを持っている場合、例えば、制御部２０１は、電子機器２００の各部から供給されるデータを用いて受電ステータスデータを定期的に検出し、検出した受電ステータスデータをＷＰＴ用ＲＴＤデータ４００に書き込むことができる。なお、第１のタグは、「アクティブタグ」や「ダイナミックタグ」と言い換えても良いものとする。図４（ａ）のように、電子機器２００が第１のタグを持っている場合におけるＷＰＴ用ＲＴＤデータ４００には、識別データ、受電ステータスデータ及び給電ステータスデータが格納される。
【００３９】
図４（ｂ）を参照し、第２のタグについて説明を行う。図４の（ｂ）のＷＰＴ用ＲＴＤデータ４００には、電子機器２００が第２のタグを持っていることを示すデータを含む識別データが格納されている。電子機器２００が第２のタグを持っている場合、制御部２０１は、ＷＰＴ用ＲＴＤデータ４００に格納されているデータを読み出すことができず、ＷＰＴ用ＲＴＤデータ４００にデータを書き込むこともできない。この場合、例えば、制御部２０１は、ＷＰＴ用ＲＴＤデータ４００に格納されている給電ステータスデータを用いて電子機器２００を制御することができず、受電ステータスデータをＷＰＴ用ＲＴＤデータ４００に書き込んだり、追記することもできない。
【００４０】
図４（ｂ）のように、電子機器２００が第２のタグを持っている場合におけるＷＰＴ用ＲＴＤデータ４００には、識別データは格納されているが、受電ステータスデータは格納されないものとする。また、電子機器２００が第２のタグを持っている場合におけるＷＰＴ用ＲＴＤデータ４００には、給電ステータスデータが格納されていてもよい。
【００４１】
なお、電子機器２００が第１のタグ及び第２のタグの少なくとも一つを持っている場合、給電装置１００は、第１の通信部１０６を用いてＷＰＴ用ＲＴＤデータ４００に格納されているデータを読み出すことができる。さらに、この場合、給電装置１００は、第１の通信部１０６を用いてデータをＷＰＴ用ＲＴＤデータ４００に書き込むこともできる。なお、実施例１において、電子機器２００は、第１のタグを持っているものとして、電子機器２００の構成の説明を行う。電力検出部２０７は、受電アンテナ２０３を介して受け取った電力を検出し、検出した電力を示すデータを制御部２０１に供給する。
【００４２】
制御部２０１は、電力検出部２０７から供給された電力のデータを用いて、電子機器２００に第１のエラーが発生しているか否かを判定する。第１のエラーとは、例えば、電子機器２００の受電可能な電力の最大値よりも大きい電力を電子機器２００が給電装置１００から受け取った場合に発生するエラーである。
【００４３】
例えば、制御部２０１は、電子機器２００の受電可能な電力の最大値と、電力検出部２０７で検出された電力の値とを比較し、比較の結果を用いて、電子機器２００に第１のエラーが発生しているか否かを判定する。電力検出部２０７で検出された電力が電子機器２００の受電可能な電力の最大値よりも大きい場合、制御部２０１は、第１のエラーが電子機器２００に発生していると判定する。電力検出部２０７で検出された電力が電子機器２００の受電可能な電力の最大値以下である場合、制御部２０１は、第１のエラーが電子機器２００に発生していないと判定する。第１のエラーが電子機器２００に発生していると判定された場合、制御部２０１は、電子機器２００にエラーが発生していることを示すデータと、第１のエラーを示すデータとを含む受電ステータスデータをＷＰＴ用ＲＴＤデータ４００に書き込む。
【００４４】
さらに、制御部２０１は、電力検出部２０７から供給された電力のデータを用いて、電子機器２００に第２のエラーが発生しているか否かを判定する。第２のエラーとは、例えば、電子機器２００が給電装置１００に対して要求する要求電力に対して電子機器２００が給電装置１００から受け取った電力が足りない場合に発生するエラーである。
【００４５】
例えば、制御部２０１は、要求電力の値と、電力検出部２０７で検出された電力の値とを比較し、比較の結果を用いて、電子機器２００に第２のエラーが発生しているか否かを判定する。
【００４６】
電力検出部２０７で検出された電力の値が、要求電力の値よりも小さい場合、制御部２０１は、第２のエラーが電子機器２００に発生していると判定する。電力検出部２０７で検出された電力の値が、要求電力の値以上である場合、制御部２０１は、第２のエラーが電子機器２００に発生していないと判定する。第２のエラーが電子機器２００に発生していると判定された場合、制御部２０１は、電子機器２００にエラーが発生していることを示すデータと、第２のエラーを示すデータとを含む受電ステータスデータをＷＰＴ用ＲＴＤデータ４００に書き込む。
【００４７】
レギュレータ２０８は、制御部２０１からの指示に応じて、整流平滑回路２０５から供給される電力及び電池２１１から供給される電力の少なくとも一つを電子機器２００の各部に供給する。負荷部２０９は、被写体の光学像から静止画や動画等の映像データの生成を行う撮像回路や映像データの再生を行う再生回路等を有する。充電部２１０は、電池２１１を充電する。充電部２１０は、制御部２０１からの指示に応じて、レギュレータ２０８から供給される電力を用いて電池２１１を充電するか、電池２１１から放電される電力をレギュレータ２０８に供給するかを制御する。充電部２１０は、定期的に電池２１１の残容量を検出し、電池２１１の残容量を示すデータや電池２１１の充電に関するデータを制御部２０１に供給する。
【００４８】
電池２１１は、電子機器２００に接続可能な電池である。また、電池２１１は、充電可能な二次電池であり、例えば、リチウムイオン電池等である。なお、電池２１１は、リチウムイオン電池以外のものであっても良いものとする。
【００４９】
制御部２０１は、電子機器２００と電池２１１とが接続されているか否かに応じて、電子機器２００に第３のエラーが発生しているか否かを判定する。第３のエラーとは、例えば、電子機器２００に電池２１１が接続されていない場合に発生するエラーである。電子機器２００と電池２１１とが接続されていない場合、制御部２０１は、電子機器２００に第３のエラーが発生していると判定する。電子機器２００と電池２１１とが接続されている場合、制御部２０１は、電子機器２００に第３のエラーが発生していないと判定する。第３のエラーが電子機器２００に発生していると判定された場合、制御部２０１は、電子機器２００にエラーが発生していることを示すデータと、第３のエラーを示すデータとを含む受電ステータスデータをＷＰＴ用ＲＴＤデータ４００に書き込む。
【００５０】
温度検出部２１２は、電子機器２００の温度を検出し、検出した温度を示すデータを制御部１０１に供給する。制御部２０１は、温度検出部２１２から供給された温度のデータを用いて、電子機器２００に第４のエラーが発生しているか否かを判定する。第４のエラーとは、例えば、電子機器２００内の温度が高温になった場合に発生するエラーである。
【００５１】
制御部２０１は、設定値と、温度検出部２１２で検出された温度とを比較し、比較の結果を用いて、電子機器２００に第４のエラーが発生しているか否かを判定する。設定値は、例えば、電池２１１の充電を正常に行うために設定されている温度の上限値である。また、設定値は、例えば、受電部２０２や負荷部２０９を保護するために設定されている温度の上限値であってもよい。温度検出部２１２で検出された温度が設定値よりも高い場合、制御部２０１は、第４のエラーが電子機器２００に発生していると判定する。
【００５２】
温度検出部２１２で検出された温度が設定値以下である場合、制御部２０１は、第４のエラーが電子機器２００に発生していないと判定する。第４のエラーが電子機器２００に発生していると判定された場合、制御部２０１は、電子機器２００にエラーが発生していることを示すデータと、第４のエラーを示すデータとを含む受電ステータスデータをＷＰＴ用ＲＴＤデータ４００に書き込む。メモリ２１３は、電子機器２００を制御するコンピュータプログラム及電子機器２００に関するパラメータ等のデータを記憶する。
【００５３】
操作部２１４は、電子機器２００を操作するためのユーザインターフェースを提供する。制御部２０１は、操作部２１４を介して入力された入力信号に従って電子機器２００を制御する。第２の通信部２１５は、給電装置１００と無線通信を行う。なお、第２の通信部２１５は、例えば、第２の通信部１１３と同一の通信規格に基づいて、給電装置１００と無線通信を行う。
【００５４】
（給電装置１００の状態遷移図）
実施例１における給電装置１００の状態の遷移について、図５を用いて説明する。図５において、状態５００は、不図示のＡＣ電源と給電装置１００とが接続されている状態で、かつ、給電装置１００の電源がオフである状態である。給電装置１００が状態５００の場合に、操作部１１０を用いて給電装置１００の電源がオンにされたとき、給電装置１００は、状態５０１に遷移する。
【００５５】
状態５０１において、給電装置１００は、ＷＰＴ用ＲＴＤデータを検出する処理を行う。給電装置１００が状態５０１である場合に、給電装置１００の電源がオフにされたとき、給電装置１００は、状態５００に遷移する。給電装置１００が状態５０１である場合に、給電装置１００がＷＰＴ用ＲＴＤデータを検出したとき、給電装置１００は、状態５０２に遷移する。給電装置１００が無線給電のＲＴＤを検出していない場合、給電装置１００は、ＷＰＴ用ＲＴＤデータ４００を検出するまでは、状態５０１を維持する。
【００５６】
状態５０２において、給電装置１００は、検出したＷＰＴ用ＲＴＤデータを解析する処理を行う。給電装置１００が状態５０２である場合に、ＷＰＴ用ＲＴＤデータの解析の結果、給電装置１００と電子機器２００との無線給電の認証が成功したとき、給電装置１００は、状態５０３に遷移する。給電装置１００が状態５０２である場合に、無線給電に関するエラーが発生した場合、給電装置１００は、状態５０１に遷移する。無線給電に関するエラーとは、例えば、給電装置１００と電子機器２００との通信に関する通信エラー、異物に関するエラー、電子機器２００に関するエラー、給電装置１００と電子機器２００との無線給電の認証に関する認証エラー等である。
【００５７】
状態５０３において、給電装置１００は、無線給電を行うために必要なステータスデータを電子機器２００と交換する処理を行う。給電装置１００が状態５０３である場合、給電装置１００は、電子機器２００から受電ステータスデータを受信し、電子機器２００に給電ステータスデータを送信する。給電装置１００が状態５０３である場合に、ステータスデータの交換が完了したとき、給電装置１００は、状態５０４に遷移する。給電装置１００が状態５０３である場合に、無線給電に関するエラーが発生した場合、給電装置１００は、状態５０１に遷移する。給電装置１００が状態５０３である場合に、電子機器２００の充電が完了したことが検出された場合、給電装置１００は、状態５０１に遷移する。
【００５８】
状態５０４において、給電装置１００は、所定の電力を電子機器２００に供給するための給電処理を行う。給電装置１００が状態５０４である場合に、無線給電に関するエラーが発生したとき、給電装置１００は、状態５０４から状態５０３に遷移する。給電装置１００が状態５０４である場合に、所定の電力の出力が開始されてから所定の時間が経過した後、給電装置１００は、状態５０３に遷移する。
【００５９】
（制御処理）
次に、実施例１において、給電装置１００の無線給電を制御するための制御処理について、図６のフローチャートを用いて説明する。制御処理は、制御部１０１がメモリ１０８に格納されているコンピュータプログラムを実行することにより実現することができる。Ｓ６０１において、制御部１０１は、給電装置１００の電源がオンであるか否かを検出する。給電装置１００の電源がオンであることが検出された場合（Ｓ６０１でＹｅｓ）、本フローチャートは、Ｓ６０２に進む。給電装置１００の電源がオンでないことが検出された場合（Ｓ６０１でＮｏ）、本フローチャートは終了する。Ｓ６０２において、制御部１０１は、認証処理を行う。認証処理が行われた場合、本フローチャートは、Ｓ６０３に進む。
【００６０】
Ｓ６０３において、制御部１０１は、給電装置１００と電子機器２００との無線給電の認証が成功したか否かを判定する。Ｓ６０２で認証処理が行われた場合、メモリ１０８に認証成功フラグ及び認証失敗フラグのいずれか一つが設定される。メモリ１０８に認証成功フラグが設定されている場合、制御部１０１は、無線給電の認証が成功したと判定し（Ｓ６０３でＹｅｓ）、本フローチャートはＳ６０４に進む。メモリ１０８に認証失敗フラグが設定されている場合、制御部１０１は、無線給電の認証が失敗したと判定し（Ｓ６０３でＮｏ）、本フローチャートはＳ６０１に進む。Ｓ６０４において、制御部１０１は、ステータスデータ交換処理を行う。ステータスデータ交換処理が行われた場合、本フローチャートは、Ｓ６０５に進む。
【００６１】
Ｓ６０５において、制御部１０１は、給電装置１００が電子機器２００への給電を行うことができるか否かを判定する。Ｓ６０４でステータスデータ交換処理が行われた場合、メモリ１０８に給電可能フラグ及び給電不可フラグのいずれか一つが設定される。メモリ１０８に給電可能フラグが設定されている場合、制御部１０１は、給電装置１００が電子機器２００への給電を行うことができると判定し（Ｓ６０５でＹｅｓ）、本フローチャートはＳ６０６に進む。メモリ１０８に給電不可フラグが設定されている場合、制御部１０１は、給電装置１００が電子機器２００への給電を行うことができないと判定し（Ｓ６０５でＮｏ）、本フローチャートはＳ６０１に進む。Ｓ６０６において、制御部１０１は、給電処理を行う。給電処理が行われた場合、本フローチャートは、Ｓ６０７に進む。
【００６２】
Ｓ６０７において、制御部１０１は、検出部１０４から供給されたＶＳＷＲのデータを用いて、異物の存在を検出する。より具体的には、制御部１０１は、検出部１０４で検出されるＶＳＷＲが所定値以上変化したか否かを検出する。所定値は、異物の存在を識別するための閾値である。検出部１０４で検出されるＶＳＷＲが所定値以上変化した場合、本フローチャートは、Ｓ６０８進む。検出部１０４で検出されるＶＳＷＲが所定値以上変化していない場合（Ｓ６０７でＮｏ）、本フローチャートは、Ｓ６０４に戻る。
【００６３】
Ｓ６０８において、制御部１０１は、給電を継続して行わないと判定し、給電処理を停止する。その後、本フローチャートは、Ｓ６０９に進む。Ｓ６０９において、制御部１０１は、ＮＦＣのポーリングコマンドを定期的に送信することにより、ＮＦＣ通信可能な電子機器の存在を検出する。制御部１０１は、ＮＦＣのポーリングコマンドにより、ＮＦＣ通信可能な電子機器の存在を検出すると、本フローチャートは、Ｓ６１０に進む。Ｓ６１０において、制御部１０１は、Ｓ６０９で検出したＮＦＣ通信可能な電子機器が、本フローチャートのＳ６０２〜Ｓ６０６で給電処理を開始した対象の電子機器か否かを後述する方法で判定する。
【００６４】
Ｓ６０９で検出したＮＦＣ通信可能な電子機器が給電処理を開始した対象の電子機器と同一であると判定すると（Ｓ６１０でＮｏ）、Ｓ６０１に戻る。Ｓ６０９で検出したＮＦＣ通信可能な電子機器が給電処理を開始した対象の電子機器と異なると判定すると（Ｓ６１０でＹｅｓ）、Ｓ６１１に進む。Ｓ６１１において、制御部１０１は、Ｓ６０９で検出したＮＦＣ通信可能な電子機器に対して、ＮＦＣ通信によりメッセージ情報を送信する。ここで、制御部１０１がＮＦＣ通信により送信するメッセージ情報には、電子機器２００が無線充電中であることを示す情報や、給電装置１００から離れることを促す情報、電子機器２００のバッテリ残量、電子機器２００の無線充電完了予定時間を示す情報を含む。
【００６５】
（判定処理）
次に、実施例１において、図６のＳ６１０において、制御部１０１によって行われる判定処理について、図７のフローチャートを用いて説明する。判定処理は、制御部１０１がメモリ１０８に格納されているコンピュータプログラムを実行することにより実現することができる。なお、図７のフローチャートに先立ち、図６のＳ６０２において、給電装置１００は認証対象の電子機器２００のＮＦＣの通信Ｔｙｐｅ、ＮＦＣ通信方式、ＷＰＴ用ＲＴＤデータをメモリ１０８に保持する。
【００６６】
Ｓ７０１において、制御部１０１はＮＦＣのポーリングコマンドに対するレスポンス情報から、Ｓ６０９で検出した電子機器のＮＦＣの通信Ｔｙｐeと、前記充電中であった電子機器２００のＮＦＣの通信Ｔｙｐeが同じかどうかを判別する。ここで、ＮＦＣの通信Ｔｙｐeは、ＴｙｐｅＡ、ＴｙｐｅＢ、ＴｙｐｅＦ等がＮＦＣフォーラムで規定されている。制御部１０１はＳ６０９で検出した電子機器のＮＦＣの通信Ｔｙｐeと、前記電子機器２００のＮＦＣの通信Ｔｙｐeが異なる場合（Ｓ７０１でＹｅｓ）、本フローチャートはＳ７０６に進む。制御部１０１はＳ６０９で検出した電子機器のＮＦＣの通信Ｔｙｐeと、前記電子機器２００のＮＦＣの通信Ｔｙｐeが同じ場合（Ｓ７０１でＮｏ）、本フローチャートはＳ７０２に進む。
【００６７】
Ｓ７０２において、制御部１０１はＮＦＣのポーリングコマンドに対するレスポンス情報から、Ｓ６０９で検出した電子機器のＮＦＣの通信方式と、前記充電中であった電子機器２００のＮＦＣの通信方式が同じかどうかを判別する。ここで、ＮＦＣの通信方式は、ＰｅｅｒＴｏＰｅｅｒ（Ｐ２Ｐ）モード、リーダーライターモード、カードエミュレーションモード等がＮＦＣフォーラムで規定されている。制御部１０１はＳ６０９で検出した電子機器のＮＦＣの通信方式と、前記電子機器２００のＮＦＣの通信方式が異なる場合（Ｓ７０２でＹｅｓ）、本フローチャートはＳ７０６に進む。制御部１０１はＳ６０９で検出した電子機器のＮＦＣの通信Ｔｙｐeと、前記電子機器２００のＮＦＣの通信Ｔｙｐeが同じ場合（Ｓ７０２でＮｏ）、本フローチャートはＳ７０３に進む。
【００６８】
Ｓ７０３において、制御部１０１はＳ６０９で検出した電子機器がＷＰＴ用ＲＴＤデータを持つか否かを判別する。制御部１０１はＳ６０９で検出した電子機器がＷＰＴ用ＲＴＤデータを持たない場合（Ｓ７０３でＹｅｓ）、本フローチャートはＳ７０６に進む。制御部１０１はＳ６０９で検出した電子機器がＷＰＴ用ＲＴＤデータを持つ場合（Ｓ７０３でＮｏ）、本フローチャートはＳ７０６に進む。
【００６９】
Ｓ７０４において、制御部１０１はＳ６０９で検出した電子機器の持つＷＰＴ用ＲＴＤデータ内のＩＤと、前記充電中であった電子機器２００の持つＷＰＴ用ＲＴＤデータ内のＩＤが等しいか否かを判別する。制御部１０１はＳ６０９で検出した電子機器の持つＷＰＴ用ＲＴＤデータ内のＩＤと、前記電子機器２００の持つＷＰＴ用ＲＴＤデータ内のＩＤが異なる場合（Ｓ７０４でＹｅｓ）、本フローチャートはＳ７０６に進む。制御部１０１はＳ６０９で検出した電子機器の持つＷＰＴ用ＲＴＤデータ内のＩＤと、前記電子機器２００の持つＷＰＴ用ＲＴＤデータ内のＩＤが同じ場合（Ｓ７０４でＮｏ）、本フローチャートはＳ７０５に進む。
【００７０】
Ｓ７０５において、制御部１０１はＳ６０９で検出した電子機器と、充電中であった電子機器２００が同じ電子機器であると判定する。一方、Ｓ７０６において、制御部１０１はＳ６０９で検出した電子機器と、充電中であった電子機器２００が異なる電子機器であると判定する。
【００７１】
（他の実施例）
本発明に係る給電装置は、実施例１で説明した給電装置１００に限定されるものではない。例えば、本発明に係る給電装置は、複数の装置から構成されるシステムにより実現することも可能である。また、本発明に係る電子機器は、実施例１で説明した電子機器２００に限定されるものではない。例えば、本発明に係る電子機器は、複数の装置から構成されるシステムにより実現することも可能である。
【００７２】
また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【００７３】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【００７４】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【００７５】
給電装置  １００
電子機器  ２００
【図１】
2018133858.tif 000003
【図２】
2018133858.tif 000004
【図３】
2018133858.tif 000005
【図４】
2018133858.tif 000006
【図５】
2018133858.tif 000007
【図６】
2018133858.tif 000008
【図７】
2018133858.tif 000009